(57)【要約】【課題】氷圧縮通路への氷の導入効率の向上を図るオーガ式製氷機を提供する。【解決手段】製氷シリンダ２の内部で生成した氷をオーガ４の螺旋刃４ａによって掻き取り氷圧縮通路１０６に導入して圧縮するオーガ式製氷機１は、氷圧縮通路１０６を形成するリブ１０４及び１０５を備えている。リブ１０４は、氷圧縮通路１０６に対向し且つ氷圧縮通路１０６に沿って延在する側面１０４ａと、リブ１０４における螺旋刃４ａ側の先端に位置する共に少なくとも一部で螺旋刃４ａに対向する先端面１０４ｃとを有している。側面１０４ａは、螺旋刃４ａ側に向かって氷圧縮通路１０６の断面を増加させるようにリブ１０４を先細にすると共に先端面１０４ｃに隣接するテーパー面部１０４ａ１を有し、先端面１０４ｃは、その接平面が螺旋刃４ａと実質的に平行である形状を有する。【選択図】図３
2015052405.tif 000002
【特許請求の範囲】
【請求項１】
シリンダの内部で水から生成した氷を、オーガが有する螺旋刃によって掻き取り氷圧縮通路に導入して圧縮するオーガ式製氷機において、
前記氷圧縮通路に沿って延在して前記氷圧縮通路を形成する帯状の固定刃部材を備え、
前記固定刃部材は、前記氷圧縮通路に対向し且つ前記氷圧縮通路に沿って延在する側面と、前記固定刃部材における前記螺旋刃側の先端に位置する共に少なくとも一部で前記螺旋刃に対向する先端面とを有し、
前記側面は、前記螺旋刃側に向かって前記氷圧縮通路の断面を増加させるように前記固定刃部材を先細にすると共に前記先端面に隣接するテーパー面部を有し、
前記先端面は、前記先端面に接する接平面が前記螺旋刃と実質的に平行である形状を有するオーガ式製氷機。
【請求項２】
前記先端面は、前記螺旋刃と実質的に平行に延在する平面である請求項１に記載のオーガ式製氷機。
【請求項３】
前記先端面は、曲面である請求項１に記載のオーガ式製氷機。
【請求項４】
前記固定刃部材は、互いに対向する２つの前記側面を有すると共に、２つの前記側面のうちの少なくとも一方に前記テーパー面部を有する請求項１〜３のいずれか一項に記載のオーガ式製氷機。
【発明の詳細な説明】
【技術分野】
【０００１】
この発明はオーガ式製氷機に関する。
【背景技術】
【０００２】
自動製氷機には、シリンダの内部に螺旋刃をもつオーガを備え、シリンダを冷却してその内面に氷を形成し、オーガを回転させることによって螺旋刃でシリンダ内面の氷を掻き取り、掻き取ったフレーク状の薄氷を圧縮して氷片とするオーガ式製氷機がある。オーガ式製氷機では、掻き取られた薄氷は、螺旋刃によって押し上げられるようにして運ばれ、シリンダ内からより断面が小さくなった氷圧縮通路に導入されることで圧縮される。
【０００３】
特許文献１に記載されるオーガ式製氷機では、オーガの上部に配置された氷圧縮通路は、オーガのブレード（螺旋刃）の法線方向に延びる複数のリブの間に形成されている。各リブのブレード側の端部は、先端に向かって先細になるテーパー状の尖った形状を有しており、これにより、氷圧縮通路は、リブの尖った先端側の入口から内部に進むに従い断面積を減少させる。このため、氷圧縮通路に導入された氷は、氷圧縮通路の内部に押し込まれる過程で圧縮される。
【先行技術文献】
【特許文献】
【０００４】
【特許文献１】特開２００３−３２２４４０号公報
【発明の概要】
【発明が解決しようとする課題】
【０００５】
特許文献１のオーガ式製氷機では、螺旋刃（ブレード）によって運ばれる氷は、螺旋刃上を摺動しつつ押し上げられて、固定されたリブ間の氷圧縮通路に導入される。このとき、螺旋刃上では、氷の一部に、リブの先端と螺旋刃との間を通って氷圧縮通路と反対側の下方に滑り落ちるものがあり、このため、氷圧縮通路内に十分な流量の氷が導入されないことがある。そして、氷圧縮通路内に十分な氷が導入されない場合、所望の圧縮率つまり所望の密度の氷片が得られないという問題が発生する。
【０００６】
この発明はこのような問題点を解決するためになされたものであり、氷圧縮通路への氷の導入効率の向上を図るオーガ式製氷機を提供することを目的とする。
【課題を解決するための手段】
【０００７】
上記の課題を解決するために、この発明に係るオーガ式製氷機は、シリンダの内部で水から生成した氷を、オーガが有する螺旋刃によって掻き取り氷圧縮通路に導入して圧縮するオーガ式製氷機において、氷圧縮通路に沿って延在して氷圧縮通路を形成する帯状の固定刃部材を備え、固定刃部材は、氷圧縮通路に対向し且つ氷圧縮通路に沿って延在する側面と、固定刃部材における螺旋刃側の先端に位置する共に少なくとも一部で螺旋刃に対向する先端面とを有し、側面は、螺旋刃側に向かって氷圧縮通路の断面を増加させるように固定刃部材を先細にすると共に先端面に隣接するテーパー面部を有し、先端面は、先端面に接する接平面が螺旋刃と実質的に平行である形状を有する。
【０００８】
先端面は、螺旋刃と実質的に平行に延在する平面であってもよい。
又は、先端面は曲面であってもよい。
固定刃部材は、互いに対向する２つの側面を有すると共に、２つの側面のうちの少なくとも一方にテーパー面部を有していてもよい。
【発明の効果】
【０００９】
この発明に係るオーガ式製氷機によれば、氷圧縮通路への氷の導入効率を向上させることが可能になる。
【図面の簡単な説明】
【００１０】
【図１】この発明の実施の形態１に係るオーガ式製氷機の構成を示す断面側面図である。
【図２】図１のＩＩ−ＩＩ線に沿った断面図である。
【図３】図２の固定刃リブ及びオーガの螺旋刃を固定刃シリンダの周方向に沿って展開した図を固定刃シリンダ側からオーガに向かって見た展開図である。
【図４】図３においてオーガの螺旋刃によって固定刃リブ同士の間の氷圧縮通路に送られる氷の状態を示す図である。
【図５】この発明の実施の形態２に係るオーガ式製氷機の固定刃リブを図３と同様にして示す展開図である。
【図６】この発明の実施の形態３に係るオーガ式製氷機の固定刃リブを図３と同様にして示す展開図である。
【発明を実施するための形態】
【００１１】
以下に、この発明の実施の形態について、添付図面に基づいて説明する。
実施の形態１．
まず、この発明の実施の形態１に係るオーガ式製氷機１の構成を説明する。
図１を参照すると、オーガ式製氷機１の断面側面図が示されている。
ここで、説明の便宜上、紙面上で下から上に向かう方向を上方と呼び、紙面上で上から下に向かう方向を下方と呼ぶ。
【００１２】
オーガ式製氷機１は、製氷するための水である製氷水が内部に供給されて氷にされる円筒状の製氷シリンダ２と、製氷シリンダ２の外周面２ａに螺旋状に巻き付けるようにして設けられた冷却管３とを備えている。冷却管３は、オーガ式製氷機１内に設けられた図示しない冷凍回路によって冷却された冷媒が内部を流通するようになっている。このため、冷却管３は、流通する冷媒によって製氷シリンダ２を冷却し、製氷シリンダ２内の製氷水を凝固させることができる。また、製氷シリンダ２は、その外部の下方側に、製氷シリンダ２の内部に製氷水を供給するための水供給管２ｃを有すると共に、同じく外部の下方側に、製氷シリンダ２内の製氷水を排出するための水排出管２ｄを有している。なお、冷却管３は、図１に示すように、外周に螺旋状の溝が形成された円筒を、外側から囲むようにして製氷シリンダ２の外周面２ａ上に被せることで、円筒と外周面２ａとの間に溝部分で仕切られた螺旋状の冷媒流路を形成する形態であってもよく、パイプを製氷シリンダ２の外周面２ａ上に螺旋状に巻き付けることによって螺旋状の冷媒流路を形成する形態であってもよい。
【００１３】
さらに、オーガ式製氷機１は、製氷シリンダ２の上端に円筒軸を同一にして連結及び固定された円筒状の固定刃シリンダ１０１を備えている。
また、オーガ式製氷機１は、製氷シリンダ２の内部から固定刃シリンダ１０１の内部にわたって延在し且つ螺旋刃４ａを棒状部材の外周に有するオーガ４を備えている。螺旋刃４ａは、オーガ４の棒状部材における製氷シリンダ２の内部となる位置に設けられている。
【００１４】
オーガ４は、その棒状部材の中心軸を製氷シリンダ２及び固定刃シリンダ１０１の円筒軸と同軸上に位置させるようにして配置され、その下部で減速機構５を介してギヤードモータ６に機械的に連結されている。さらに、オーガ４は、減速機構５内に設けられた図示されていない下部軸受７と、固定刃シリンダ１０１内に設けられた上部軸受８とによって、その両端部で回転自在に支持されている。円筒状の上部軸受８は、固定刃シリンダ１０１の中心に配置されて固定されている。
このため、オーガ４は、ギヤードモータ６の回転駆動力が減速機構５を介して伝達されると、製氷シリンダ２の内部でその中心軸を中心に回転し、それにより、螺旋刃４ａが製氷シリンダ２の内周面２ｂに沿って旋回する。
【００１５】
また、固定刃シリンダ１０１の内部における固定刃シリンダ１０１と上部軸受８との間の空間において、上部軸受８の外側周囲を囲む円筒状の固定刃本体１０２が設けられている。上部軸受８は、固定刃本体１０２に固定されて支持されている。
さらに、固定刃本体１０２の外周面１０２ａには、固定刃本体１０２の円筒軸方向に延びる複数の帯状の固定刃リブ１０３が一体に設けられている。固定刃リブ１０３は、外周面１０２ａの周方向に互いに間隔をあけて配置されている。これにより、固定刃リブ１０３同士の間には、固定刃リブ１０３、固定刃シリンダ１０１及び固定刃本体１０２によって囲まれる氷圧縮通路１０６（図２参照）が形成されている。そして、製氷シリンダ２内で生成された氷は、オーガ４の螺旋刃４ａによって上方に向かって運ばれ、製氷シリンダ２よりも断面積が小さい氷圧縮通路１０６内に押し込められることによって、圧縮される。なお、固定刃リブ１０３及び氷圧縮通路１０６の詳細な構成は、後述する。
【００１６】
また、オーガ４の上端には、カッタ９が、オーガ４と一体に回転するように設けられている。カッタ９は、固定刃本体１０２の上方に配置されており、圧縮された状態で氷圧縮通路１０６から出てくる棒状の氷塊を適当な大きさに折って氷片とすることができる。
さらに、固定刃シリンダ１０１の上部には、カッタ９で折られて生成された氷片を送り出すための筒状のスパウト１０が設けられている。スパウト１０は、上下方向に延びる筒状のシュート１１に連結されており、シュート１１は、スパウト１０を通って送られた氷片を図示しない貯氷タンクに案内する。
【００１７】
ここで、固定刃リブ１０３及び氷圧縮通路１０６の詳細な構成を説明する。
図１及び図２をあわせて参照すると、固定刃リブ１０３はそれぞれ、固定刃本体１０２から突出して固定刃シリンダ１０１に至るまで固定刃シリンダ１０１の径方向に延在すると共に、その長手方向軸を固定刃シリンダ１０１及び固定刃本体１０２の円筒軸と平行にするようにして延在している。さらに、固定刃リブ１０３はそれぞれ、固定刃本体１０２の周方向に厚さを有している。そして、固定刃本体１０２は、ボルト１０１ａを使用して固定刃リブ１０３と共に固定刃シリンダ１０１に固定されている。これにより、上部軸受８も、固定刃シリンダ１０１に固定される。
また、固定刃リブ１０３は、長手方向により長い長リブ１０４（図３参照）と、長手方向により短い短リブ１０５（図３参照）とによって構成され、長リブ１０４及び短リブ１０５は、固定刃本体１０２の周方向に沿って互いに間隔をあけて交互に配置されている。そして、長リブ１０４は、短リブ１０５よりも、オーガ４の螺旋刃４ａ側に向かって突出するようにして配置されている。
ここで、長リブ１０４及び短リブ１０５は、固定刃部材を構成している。
【００１８】
さらに、固定刃リブ１０３（長リブ１０４，短リブ１０５）及びオーガ４の螺旋刃４ａを固定刃シリンダ１０１の周方向に沿って展開した図を固定刃シリンダ１０１側からオーガ４に向かって見た図３を、図２とあわせて参照する。
長リブ１０４及び短リブ１０５はそれぞれ、固定刃本体１０２の径方向断面が矩形状である直方体状の形状を有している。そして、長リブ１０４は、固定刃本体１０２の周方向に向いた側面１０４ａ及び１０４ｂのうちの一方である側面１０４ａにおいて、オーガ４の螺旋刃４ａ側の先端付近に平面状のテーパー面部１０４ａ１を有している。同様に、短リブ１０５は、固定刃本体１０２の周方向に向いた側面１０５ａ及び１０５ｂのうちの一方である側面１０５ａにおいて、オーガ４の螺旋刃４ａ側の先端付近に平面状のテーパー面部１０５ａ１を有している。テーパー面部１０４ａ１及び１０５ａ１はそれぞれ、長リブ１０４及び短リブ１０５を螺旋刃４ａに向かって先細にするように傾斜している。なお、側面１０４ａ及び１０５ａは、固定刃本体１０２の周方向に沿って同じ方向に向いた面である。
【００１９】
さらに、長リブ１０４及び短リブ１０５の先細になった先端は、尖った先端がカットされたような形状を有していて、平坦な先端面１０４ｃ及び１０５ｃがそれぞれ長リブ１０４及び短リブ１０５の先端に形成されている。先端面１０４ｃは、側面１０４ｂ及びテーパー面部１０４ａ１に隣接し、先端面１０５ｃは、側面１０５ｂ及びテーパー面部１０５ａ１に隣接している。
先端面１０４ｃ及び１０５ｃはいずれも、オーガ４の螺旋刃４ａにおける長リブ１０４及び短リブ１０５側の上面４ａ１と平行となるように形成されている。よって、先端面１０４ｃ及び１０５ｃはいずれも、オーガ４の周方向に沿う螺旋刃４ａの延在方向と平行に延在している。つまり、先端面１０４ｃ及び１０５ｃが水平面に対してなす角度αは、螺旋刃４ａが水平面に対してなす角度と同一である。
【００２０】
そして、リブ１０４及び１０５の間には、氷圧縮通路１０６が形成されている。氷圧縮通路１０６は、長リブ１０４と短リブ１０５との間において形成され且つ長リブ１０４、短リブ１０５、固定刃本体１０２及び固定刃シリンダ１０１によって囲まれる第二氷圧縮通路部１０６ｂと、短リブ１０５から突出する長リブ１０４の部位同士の間において形成され且つ２つの長リブ１０４、固定刃本体１０２及び固定刃シリンダ１０１によって囲まれる第一氷圧縮通路部１０６ａとによって構成されている。つまり、氷圧縮通路１０６は、螺旋刃４ａから上方に向かって、１つの第一氷圧縮通路部１０６ａが、短リブ１０５を間に挟む２つの第二氷圧縮通路部１０６ｂに分岐するように形成されている。
【００２１】
次に、この発明の実施の形態１に係るオーガ式製氷機１の動作を説明する。
図１を参照すると、オーガ式製氷機１の電源が入れられると、図示しない冷凍回路が始動し、冷却管３内を冷媒が流通する。また、製氷シリンダ２の内部には、水供給管２ｃから製氷水が供給され、製氷水は、冷却管３内の冷媒と熱交換を行うことによって、製氷シリンダ２の内周面２ｂ上で氷となる。内周面２ｂ上の氷は、ギヤードモータ６により減速機構５を介して回転駆動されるオーガ４の螺旋刃４ａによって掻き取られてフレーク状の薄氷となり、この薄氷は、旋回する螺旋刃４ａにより上方に向かって押し上げられることによって製氷シリンダ２内から固定刃シリンダ１０１内に運ばれる。
【００２２】
図４をあわせて参照すると、螺旋刃４ａは、オーガ４の方向Ｄ１の回転に伴って図面において一点鎖線表示される状態４ａａから実線表示される状態４ａｂへと上方の長リブ１０４に向かって移動する。これにより、螺旋刃４ａ上の掻き取られた薄氷２０は、移動する螺旋刃４ａによって氷圧縮通路１０６の第一氷圧縮通路部１０６ａ内に押し上げられる。なお、状態４ａｂの螺旋刃４ａは、特定の１つの長リブ１０４に、状態４ａａの場合よりも接近した状態である。
このとき、螺旋刃４ａは、螺旋刃４ａの上面４ａ１と長リブ１０４の先端面１０４ｃとが平行である状態を維持しつつ、上面４ａ１に沿う方向Ｄ３に旋回しながら先端面１０４ｃに垂直である方向Ｄ２へと先端面１０４ｃに向かって移動する。このため、螺旋刃４ａの上面４ａ１と長リブ１０４の先端面１０４ｃとの間の氷は、上面４ａ１及び先端面１０４ｃによって効果的に圧縮されて周囲の氷よりも固くなり氷の壁２０ａを形成する。そして、氷の壁２０ａは、上面４ａ１及び先端面１０４ｃに垂直な軸に沿って、先端面１０４ｃから上面４ａ１にわたって延在する。
【００２３】
氷の壁２０ａは、螺旋刃４ａから方向Ｄ２の軸方向の押圧力を受けるため、螺旋刃４ａが旋回してもその旋回方向Ｄ３へずれずに先端面１０４ｃに当接した状態を維持し、それにより、隣り合う氷の壁２０ａ同士の間にある氷２０ｂが、氷の壁２０ａを越えて方向Ｄ３に沿って滑り落ちることを防ぐ。そして、螺旋刃４ａが方向Ｄ１へ回転移動する過程において、氷２０ｂは、螺旋刃４ａによって押圧されることで崩れる壁２０ａの氷と共に、第一氷圧縮通路部１０６ａ内に導入される。よって、各第一氷圧縮通路部１０６ａ内には、氷は、ほぼ均等であり且つほぼ一定である流量で導入される。
【００２４】
さらに、第一氷圧縮通路部１０６ａ内の氷は、方向Ｄ１へ回転移動する螺旋刃４ａによって、この通路部に沿って第二氷圧縮通路部１０６ｂに向かって押し上げられ、その過程では、第一氷圧縮通路部１０６ａの幅方向の長リブ１０４の厚さを増加させるテーパー面部１０４ａ１によって圧縮される。
なお、第一氷圧縮通路部１０６ａ内で圧縮される際も、氷２０ｂは、螺旋刃４ａと長リブ１０４との間隔がより広い側の隙間から方向Ｄ３に沿って滑り落ちることが、氷の壁２０ａによって遮られる。
【００２５】
さらに、螺旋刃４ａは、オーガ４の方向Ｄ１の回転に伴って、図面において実線表示される状態４ａｂから二点鎖線表示される状態４ａｃへと上方の長リブ１０４及び短リブ１０５に向かって移動する。これにより、第一氷圧縮通路部１０６ａ内の氷の一部は、螺旋刃４ａから受ける方向Ｄ２の押圧力によって短リブ１０５の先端面１０５ｃに押し付けられて圧縮され、先端面１０５ｃの近傍で周囲の氷よりも固くなった氷の壁２０ｃを形成する。氷の壁２０ｃは、先端面１０５ｃから螺旋刃４ａの上面４ａ１にわたって延在する。なお、状態４ａｃの螺旋刃４ａは、状態４ａｂにおいて接近していた長リブ１０４に対して方向Ｄ１側で隣り合う短リブ１０５に、状態４ａｂの場合よりも接近した状態である。
【００２６】
先端面１０５ｃに垂直な軸方向の圧縮力を受ける氷の壁２０ｃは、第一氷圧縮通路部１０６ａに隣接する２つの第二氷圧縮通路部１０６ｂ（１０６ｂａ，１０６ｂｂ）のうちの方向Ｄ１側に位置する第二氷圧縮通路部１０６ｂｂの入口近傍の氷が、方向Ｄ１と反対側の第二氷圧縮通路部１０６ｂａの入口近傍に移動すること及び螺旋刃４ａの上部先端からこぼれて下方に落ちることを防ぐ。これにより、第二氷圧縮通路部１０６ｂａ及び１０６ｂｂには、十分な量の氷がほぼ均等に導入される。そして、氷は、第一氷圧縮通路部１０６ａから第二氷圧縮通路部１０６ｂａ及び１０６ｂｂに流入すると、短リブ１０５の断面積の分だけ通路断面積が減少するため、さらなる圧縮を受けて固くなる。
【００２７】
第二氷圧縮通路部１０６ｂａ及び１０６ｂｂ内の固くなった氷塊は、螺旋刃４ａにより押し上げられて次々に導入される氷によって各通路内で押し上げられ、固定刃シリンダ１０１の上端開口からスパウト１０内に放出される。そして、氷は、第二氷圧縮通路部１０６ｂａ及び１０６ｂｂ内から放出される際、オーガ４と共に回転するカッタ９によって適当な大きさに折られて氷片となる。スパウト１０内に放出された氷片は、カッタ９によって折られて次々に生成される氷片によって押されてスパウト１０からシュート１１内に移動し、その後シュート１１内を自由落下して図示しない貯氷タンク内に貯められる。
【００２８】
このように、この発明の実施の形態１に係るオーガ式製氷機１は、製氷シリンダ２の内部で製氷水から生成した氷を、オーガ４が有する螺旋刃４ａによって掻き取り氷圧縮通路１０６に導入して圧縮するものである。オーガ式製氷機１は、氷圧縮通路１０６に沿って延在して氷圧縮通路１０６を形成する帯状のリブ１０４及び１０５を備えている。リブ１０４及び１０５はそれぞれ、氷圧縮通路１０６に対向し且つ氷圧縮通路１０６に沿って延在する側面１０４ａ及び１０５ａと、リブ１０４及び１０５における螺旋刃４ａ側の先端に位置する共に少なくとも一部で螺旋刃４ａに対向する先端面１０４ｃ及び１０５ｃとを有している。側面１０４ａ及び１０５ａはそれぞれ、螺旋刃４ａ側に向かって氷圧縮通路１０６の断面を増加させるようにリブ１０４及び１０５を先細にすると共に先端面１０４ｃ及び１０５ｃに隣接するテーパー面部１０４ａ１及び１０５ａ１を有し、先端面１０４ｃ及び１０５ｃは、先端面１０４ｃ及び１０５ｃに接する接平面が螺旋刃４ａと実質的に平行である形状を有する。
【００２９】
このとき、螺旋刃４ａによって氷圧縮通路１０６に導入される氷は、氷圧縮通路１０６内を進む際に断面積が減少する氷圧縮通路１０６によって圧縮される。また、氷が螺旋刃４ａによって氷圧縮通路１０６の入口に向かって押しやられる際、互いに接近するリブ１０４の先端面１０４ｃと螺旋刃４ａとの間の氷が、これらによって挟まれて圧縮され、周囲の氷よりも固くなる。この固くなった氷は、周囲の氷がリブ１０４の先端面１０４ｃと螺旋刃４ａとの間を通って氷圧縮通路１０６と反対側に螺旋刃４ａ上を滑り落ちることを防ぎ、氷を氷圧縮通路１０６に効率的に導入する。よって、氷圧縮通路１０６へ氷の導入効率が向上する。さらに、氷圧縮通路１０６へ氷の導入効率が向上することによって、氷圧縮通路１０６に導入されなかった氷が螺旋刃４ａと共回りすることによる騒音や、導入されなかった氷による詰まりも防ぐことができる。
【００３０】
また、オーガ式製氷機１において、リブ１０４の先端面１０４ｃは、螺旋刃４ａと実質的に平行に延在する平面である。このとき、リブ１０４の先端面１０４ｃと螺旋刃４ａとの間では、氷が２つの実質的に平行な面によって挟まれて圧縮を受けるため、この２つの面の間で圧縮固化する氷の体積及びその強度が増加する。よって、氷圧縮通路１０６に導入されるべき氷がリブ１０４の先端面１０４ｃと螺旋刃４ａとの間を通って氷圧縮通路１０６と反対側に滑り落ちることがより確実に防がれる。そして、先端面１０４ｃの面積を調節することによって、圧縮固化する氷の体積及び強度を調節することができ、それにより、氷圧縮通路１０６に導入される氷の流量を調節して、圧縮後の氷の圧縮率（含氷率）を調節することができる。そして、リブ１０４の先端形状を調節することによって氷圧縮通路１０６に導入される氷の流量を制御する構成であるため、その制御は安定し且つ持続性が高い。また、リブ１０４の先端形状を調節することによって圧縮後の氷の圧縮率（含氷率）を調節することができるので、コスト低減が可能になる。
【００３１】
実施の形態２．
この発明の実施の形態２に係るオーガ式製氷機は、実施の形態１のオーガ式製氷機１において、長リブ１０４及び短リブ１０５がそれぞれ一方の側面１０４ａ及び１０５ａにのみテーパー面部１０４ａ１及び１０５ａ１を有していたものを、他方の側面にもテーパー面部を有するようにしたものである。
なお、以下の実施の形態において、前出した図における参照符号と同一の符号は、同一又は同様な構成要素であるので、その詳細な説明は省略する。
【００３２】
図５を参照すると、この発明の実施の形態２に係るオーガ式製氷機は、実施の形態１と同様にして、長リブ２０４及び短リブ２０５を有している。
長リブ２０４は、固定刃本体１０２の周方向に向いた側面２０４ａ及び２０４ｂそれぞれにおいて、オーガ４の螺旋刃４ａ側の先端付近に平面状のテーパー面部２０４ａ１及び２０４ｂ１を有している。同様に、短リブ２０５は、固定刃本体１０２の周方向に向いた側面２０５ａ及び２０５ｂそれぞれにおいて、螺旋刃４ａ側の先端付近に平面状のテーパー面部２０５ａ１及び２０５ｂ１を有している。テーパー面部２０４ａ１及び２０４ｂ１並びにテーパー面部２０５ａ１及び２０５ｂ１はいずれも、長リブ２０４並びに短リブ２０５を螺旋刃４ａに向かって先細にするように傾斜している。
【００３３】
さらに、長リブ２０４及び短リブ２０５は、平坦な先端面２０４ｃ及び２０５ｃをそれぞれの先端に有しており、先端面２０４ｃは、テーパー面部２０４ａ１及び２０４ｂ１に隣接し、先端面２０５ｃは、テーパー面部２０５ａ１及び２０５ｂ１に隣接している。そして、先端面２０４ｃ及び２０５ｃはいずれも、オーガ４の螺旋刃４ａの上面４ａ１と平行となる、つまりオーガ４の周方向に沿う螺旋刃４ａの延在方向と平行に延在するように、水平面に対して角度αの傾きで形成されている。
【００３４】
これにより、回転するオーガ４の螺旋刃４ａによって固定刃シリンダ１０１（図１参照）内に運ばれて第一氷圧縮通路部１０６ａに向かって押し上げられる氷の一部は、実施の形態１の場合と同様に、長リブ２０４の先端面２０４ｃと螺旋刃４ａの上面４ａ１との間に氷の壁を形成する。このため、各第一氷圧縮通路部１０６ａ内には、氷がほぼ均等な流量で漏れがなく効率的に導入される。さらに、第一氷圧縮通路部１０６ａ内の氷は、長リブ２０４同士の間で圧縮されつつ第二氷圧縮通路部１０６ｂに向かって押し上げられ、押し上げられる氷の一部は、短リブ２０５の先端面２０５ｃの近傍に氷の壁を形成する。これにより、第一氷圧縮通路部１０６ａ内の氷は、２つの第二氷圧縮通路部１０６ｂにほぼ均等な流量で導入されて、第二氷圧縮通路部１０６ｂでさらなる圧縮を受ける。
また、この発明の実施の形態２に係るオーガ式製氷機のその他の構成及び動作は、実施の形態１と同様であるため、説明を省略する。
よって、実施の形態２におけるオーガ式製氷機によれば、上記実施の形態１のオーガ式製氷機１と同様な効果が得られる。
【００３５】
実施の形態３．
この発明の実施の形態３に係るオーガ式製氷機は、実施の形態２のオーガ式製氷機において、長リブ２０４及び短リブ２０５それぞれの先端面２０４ｃ及び２０５ｃが平坦な面であったものを、凸状の曲面としたものである。
【００３６】
図６を参照すると、この発明の実施の形態３に係るオーガ式製氷機は、実施の形態２と同様にして、長リブ３０４及び短リブ３０５を有している。
長リブ３０４は、固定刃本体１０２の周方向に向いた側面３０４ａ及び３０４ｂにそれぞれ平面状のテーパー面部３０４ａ１及び３０４ｂ１を有し、短リブ３０５は、固定刃本体１０２の周方向に向いた側面３０５ａ及び３０５ｂにそれぞれ平面状のテーパー面部３０５ａ１及び３０５ｂ１を有している。
【００３７】
さらに、長リブ３０４は、オーガ４の螺旋刃４ａ側におけるテーパー面部３０４ａ１の先端からテーパー面部３０４ｂ１の先端にわたって延在する先端曲面３０４ｃを有している。先端曲面３０４ｃは、螺旋刃４ａの上面４ａ１に対向し且つ上面４ａ１に向かって突出するような形状を有している。このため、先端曲面３０４ｃの接平面のうちの１つである接平面３０４ｃ１（図面において二点鎖線表示）は、螺旋刃４ａの上面４ａ１と平行となる。よって、接平面３０４ｃ１は、オーガ４の周方向に沿う螺旋刃４ａの延在方向と平行に延在する、つまり、接平面３０４ｃ１が水平面に対してなす角度αは、螺旋刃４ａが水平面に対してなす角度と同一である。
【００３８】
また、短リブ３０５も、オーガ４の螺旋刃４ａ側におけるテーパー面部３０５ａ１の先端からテーパー面部３０５ｂ１の先端にわたって延在する先端曲面３０５ｃを有している。先端曲面３０５ｃは、螺旋刃４ａの上面４ａ１に対向し且つ上面４ａ１に向かって突出するような形状を有している。このため、先端曲面３０５ｃの接平面のうちの１つである接平面３０５ｃ１（図面において二点鎖線表示）は、螺旋刃４ａの上面４ａ１と平行となる。よって、接平面３０５ｃ１は、オーガ４の周方向に沿う螺旋刃４ａの延在方向と平行に延在する、つまり、接平面３０５ｃ１が水平面に対してなす角度αは、螺旋刃４ａが水平面に対してなす角度と同一である。
【００３９】
これにより、回転するオーガ４の螺旋刃４ａによって固定刃シリンダ１０１（図１参照）内に運ばれて第一氷圧縮通路部１０６ａに向かって押し上げられる氷の一部は、実施の形態２の場合と同様に、長リブ３０４の先端曲面３０４ｃと螺旋刃４ａの上面４ａ１との間に氷の壁を形成する。このため、各第一氷圧縮通路部１０６ａ内には、氷がほぼ均等な流量で漏れがなく効率的に導入される。さらに、第一氷圧縮通路部１０６ａ内の氷は、長リブ３０４同士の間で圧縮されつつ第二氷圧縮通路部１０６ｂに向かって押し上げられ、押し上げられる氷の一部は、短リブ３０５の先端曲面３０５ｃの近傍に氷の壁を形成する。これにより、第一氷圧縮通路部１０６ａ内の氷は、２つの第二氷圧縮通路部１０６ｂにほぼ均等な流量で導入されて、第二氷圧縮通路部１０６ｂでさらなる圧縮を受ける。
【００４０】
また、この発明の実施の形態３に係るオーガ式製氷機のその他の構成及び動作は、実施の形態２と同様であるため、説明を省略する。
よって、実施の形態３におけるオーガ式製氷機によれば、上記実施の形態２のオーガ式製氷機と同様な効果が得られる。
また、実施の形態３に係るオーガ式製氷機では、長リブ３０４及び短リブ３０５それぞれの先端曲面３０４ｃ及び３０５ｃが凸状の曲面であったが、窪んだ曲面であってもよい。この場合も、先端曲面３０４ｃ及び３０５ｃと螺旋刃４ａとの間で氷の圧縮が生じて氷の壁が形成される。
また、実施の形態３に係るオーガ式製氷機における長リブ３０４及び短リブ３０５の先端曲面３０４ｃ及び３０５ｃの構成は、実施の形態１における長リブ１０４及び短リブ１０５の先端面に適用されてもよい。
【００４１】
また、実施の形態１〜３において、長リブ１０４〜３０４及び短リブ１０５〜３０５の側面に形成されたテーパー面部は、平坦な面であったが、これに限定されるものでなく、氷圧縮通路側に膨らむ曲面であってもよく、上記曲面と反対方向であるリブの中心軸側に窪む曲面であってもよい。
また、実施の形態１〜３において、長リブ１０４〜３０４及び短リブ１０５〜３０５の両方に、先端面１０４ｃ，２０４ｃ，１０５ｃ，２０５ｃ又は先端曲面３０４ｃ，３０５ｃが形成されていたが、長リブ１０４〜３０４のみに形成されていてもよい。
【００４２】
また、実施の形態１及び２において、長リブ１０４，２０４及び短リブ１０５，２０５の先端面１０４ｃ，２０４ｃ，１０５ｃ，２０５ｃは、オーガ４の螺旋刃４ａの上面４ａ１に平行に形成されていたが、これに限定されるものでない。長リブ１０４，２０４及び短リブ１０５，２０５の先端面は、氷圧縮通路に運ばれた氷が、先端面１０４ｃ，２０４ｃ，１０５ｃ，２０５ｃと螺旋刃４ａとの間に氷の壁を形成できるように少なくとも一部が螺旋刃４ａと対向するものであればよく、螺旋刃４ａの上面４ａ１に対して略平行なものであってもよい。
【００４３】
また、実施の形態１〜３において、長リブ１０４〜３０４及び短リブ１０５〜３０５は、固定刃本体１０２に一体に形成されていたが、これに限定されるものでない。長リブ１０４〜３０４及び短リブ１０５〜３０５は、オーガ４の上部軸受８又は固定刃本体１０２と固定刃シリンダ１０１との間に氷圧縮通路を形成することができればよく、固定刃本体１０２と別個の部材であってもよく、又は固定刃シリンダ１０１と一体成形されてもよい。
また、実施の形態１〜３のオーガ式製氷機において、固定刃シリンダ１０１と製氷シリンダ２とは別体であったが、これに限定されるものでなく、上方に延長することによって、製氷シリンダ２が固定刃シリンダ１０１を兼ねてもよい。
【符号の説明】
【００４４】
１  オーガ式製氷機、２  製氷シリンダ、４  オーガ、４ａ  螺旋刃、１０４，２０４，３０４  長リブ（固定刃部材）、１０５，２０５，３０５  短リブ（固定刃部材）、１０４ａ，１０５ａ，２０４ａ，２０４ｂ，２０５ａ，２０５ｂ，３０４ａ，３０４ｂ，３０５ａ，３０５ｂ  側面、１０４ａ１，１０５ａ１，２０４ａ１，２０４ｂ１，２０５ａ１，２０５ｂ１，３０４ａ１，３０４ｂ１，３０５ａ１，３０５ｂ１  テーパー面部、１０４ｃ，１０５ｃ，２０４ｃ，２０５ｃ  先端面、１０６  氷圧縮通路、１０６ａ  第一氷圧縮通路部、１０６ｂ  第二氷圧縮通路部、３０４ｃ，３０５ｃ  先端曲面。
【図１】
2015052405.tif 000003
【図２】
2015052405.tif 000004
【図３】
2015052405.tif 000005
【図４】
2015052405.tif 000006
【図５】
2015052405.tif 000007
【図６】
2015052405.tif 000008